(57)【特許請求の範囲】
【請求項１】
上カバーと下カバーとの間に配線板が収納されると共に、上カバーと下カバーとが溶着される電気接続箱の分解構造であって、
前記上カバー又は下カバーのいずれか一方に設けられた溶着突起と、他方に設けられて溶着突起が溶着される溶着ハウジング部と、この溶着ハウジング部を上カバー又は下カバーのいずれか他方に連結すると共に、前記上カバーと下カバーとの分解時に外力により破断して溶着ハウジング部が上カバー又は下カバーのいずれか他方から分離される破断可能部とを有し、
前記溶着ハウジング部は、前記上カバー又は前記下カバーに対して前記破断可能部を介して連結されていることを特徴とする電気接続箱の分解構造。
【請求項２】
請求項１記載の発明であって、
前記溶着突起が、前記下カバーから突設されて先端部に円板状の溶着部が設けられた円筒状の溶着ボスからなり、
前記溶着ハウジング部が、前記破断可能部を介して前記上カバーに連結された本体と、この本体に設けられて前記溶着ボスが挿通する挿通孔と、この挿通孔の周囲に設けられて前記溶着部が溶着される溶着板部とからなり、
前記本体には、前記溶着板部の周囲に環状の押圧部が形成されていることを特徴とする電気接続箱の分解構造。
【発明の詳細な説明】
【０００１】
【発明の属する技術分野】
本発明は、上カバーと下カバーとが溶着され内部に配線板が収納された電気接続箱の分解構造に関する。
【０００２】
【従来の技術】
図４（ａ）、（ｂ）は、実開昭５５−２２１２８号公報に記載された回路板１を絶縁板２に固定する構造を示す。この固定構造では、回路板１に設けた係合穴３内に、絶縁板２に設けた係合突起４を挿入・係合させることにより回路板１が絶縁板２に固定されるようになっている。
【０００３】
また、図５は、実開平１−１６２２９０号公報に記載されたＦＰＣ５を絶縁ケース６に固定する構造を示す。この固定構造では、ＦＰＣ５に設けた円形孔７内に、絶縁ケース６設けたボス８の円錐状部９を圧入することでＦＰＣ５が絶縁ケース６に固定されるようになっている。なお、この固定構造では、円形孔７の孔周縁に菊座状の切り込みが形成されている。
【０００４】
ところで、上記各公報に記載された固定構造において、絶縁板２を回路板１から外す場合や、ＦＰＣ５を絶縁ケース６から外す場合には、係合突起４を係合穴３から無理に抜き出したり、円形孔７から円錐状部９を無理に抜き出すことで、絶縁板２を回路板１から、ＦＰＣ５を絶縁ケース６から外している。
【０００５】
このような固定構造は、配線板を上ケースと下ケースとの間で収容する電気接続箱においても、上ケースと下ケースとを固定するのに利用されている。
【０００６】
【発明が解決しようとする課題】
ところが、上記各固定構造において、絶縁板２を回路板１から外す場合や、ＦＰＣ５を絶縁ケース６から外す場合、係合突起４や円錐状部９を削ったり、回路板１やＦＰＣ５を強制的にひっぱたりするため、絶縁板２を回路板１から外す場合や、ＦＰＣ５を絶縁ケース６を外す場合には、非常に手間がかかり、これらを分解するのに非常に手間がかかる。また、このような固定構造が複数箇所設けられている場合には、さらに分解に時間がかかる。また電気接続箱においても、上ケースと下ケースとの分解に手間と時間がかかる。
【０００７】
このため、係合突起４を係合穴３に対して細くしたり、あるいは、円錐状部９を円形孔７に対して細く設定して分解し易くすることが考えられるが、この場合には、回路板１を絶縁板２に、ＦＰＣ５を絶縁ケース６に強固に固定することができない。電気接続箱においては、上ケースと下ケースとを強固に固定することができない。
【０００８】
そこで、本発明は、上ケースと下ケースとを強固に固定することができると共に、上ケースと下ケースとを容易に分解することが可能な電気接続箱の分解構造の提供を目的とする。
【０００９】
【課題を解決するための手段】
上記目的を達成するため、請求項１の発明は、上カバーと下カバーとの間に配線板が収納されると共に、上カバーと下カバーとが溶着される電気接続箱の分解構造であって、前記上カバー又は下カバーのいずれか一方に設けられた溶着突起と、他方に設けられて溶着突起が溶着される溶着ハウジング部と、この溶着ハウジング部を上カバー又は下カバーのいずれか他方に連結すると共に、前記上カバーと下カバーとの分解時に外力により破断して溶着ハウジング部が上カバー又は下カバーのいずれか他方から分離される破断可能部とを有し、前記溶着ハウジング部は、前記上カバー又は前記下カバーに対して前記破断可能部を介して連結されていることを特徴としている。
【００１０】
この分解構造では、溶着突起と溶着ハウジング部とを溶着することにより上カバーと下カバーとが強固に固定される。上カバーと下カバーとを分解する場合には、外力を加えることで破断可能部が容易に破断することにより、上カバーと下カバーとが容易に分解する。
【００１１】
請求項２の発明は、請求項１記載の発明であって、前記溶着突起が前記下カバーから突設されて先端部に円板状の溶着部が設けられた円筒状の溶着ボスからなり、前記溶着ハウジング部が、前記破断可能部を介して前記上カバーに連結された本体と、この本体に設けられて前記溶着ボスが挿通する挿通孔と、この挿通孔の周囲に設けられて前記溶着部が溶着される溶着板部とからなり、前記本体には、前記溶着板部の周囲に環状の押圧部が形成されていることを特徴としている。
【００１２】
この分解構造では、溶着部と溶着板部とを溶着することにより、上カバーと下カバーとが強固に固定される。上カバーと下カバーとを分解する場合には、本体に外力を加えることにより、破断可能部を破断して本体を上カバー又は下カバーから分離する。この結果、上カバーと下カバーとが分解される。
【００１３】
【発明の実施の形態】
以下、本発明に係る電気接続箱の分解構造の実施形態について説明する。図１（ａ）は、本発明が適用された電気接続箱１０を示し、図１（ｂ）はこの電気接続箱１０の一部を示す。
【００１４】
図１に示すように、電気接続箱１０は、上カバー１１と、下カバー１２と、これらの上カバー１１と下カバー１２との間に収容される複数枚の配線板１３からなる。そして、上カバー１１と下カバー１２とは、四隅に設けた固定部１４で溶着されて固定されている。
【００１５】
固定部１４は、下カバー１２から突設された溶着突起１５と、上カバー１１に設けられた溶着ハウジング部１６と、この溶着ハウジング部１６と上カバー１１との間に設けられた破断可能部１７とからなる。
【００１６】
溶着突起１５は、下カバー１２から突設されて先端部に円板状の溶着部１８が一体に設けられた円筒状の溶着ボス１９で形成されている。溶着ハウジング部１６は、円筒状の本体２０と、この本体２０の中心部分に外周部分より凹んだ位置に形成された溶着板部２１と、この溶着板部２１の略中心部に形成されて溶着突起１５が挿通される挿通孔２２とで構成されている。また、本体２０には、溶着板部２１の周囲に環状の押圧部２３が形成されている。この溶着ハウジング部１６は、上カバー１１に破断可能部１７を介して連結されている。
【００１７】
破断可能部１７は、図１（ｂ）に示すように、本体２０の周囲と上カバー１１との間に設けた複数のスリット２４間に設けられて本体２０を上カバー１１に支持する複数の連結部２５からなる。これらの連結部２５は、本体２０を下カバー１２側に向けて押圧することにより、容易に破断して上カバー１１と溶着ハウジング部１６とを分離する。この場合の押圧力は、静的な荷重よりも衝撃力が好ましく、例えばハンマー等により押圧部２３を叩くことにより衝撃力を加える。
【００１８】
そして、図２に示すように、溶着突起１５を挿通孔２２内に挿入し、溶着部１８を溶着板部２１に溶着することにより、上カバー１１と下カバー１２とが強固に固定される。この状態から、上カバー１１と下カバー１２と分解するには、押圧部２３に下カバー１２側への外力Ｆ（図示矢印）を加える。押圧部２３に外力Ｆを加えると、連結部２５が破断すると共に、溶着部１８と溶着板部２１との溶着部分が剥がれて、本体２０が下カバー１２側へ移動する。この結果、下カバー１２と上カバー１１とが分解する。この場合、外力Ｆは、押圧部２３をハンマー等により加えることにより、溶着部１８と溶着板部２１との溶接部分が衝撃で剥がれる。
【００１９】
このように、本実施形態の電気接続箱１０では、上カバー１１と下カバー１２とは、溶着部１８と溶着板部２１との溶着により強固に固定され、上カバー１１と下カバー１２とを分離する際には、押圧部２３に外力Ｆを加えることで上カバー１１と下カバー１２とを容易に分解することができる。
【００２０】
また、固定部１４が複数箇所有る場合でも、各固定部１４を上述の手順により溶着ハウジング部１６を上カバー１１から分解することにより、上カバー１１と下カバー１２とを容易に分解することができる。
【００２１】
この結果、上カバー１１と下カバー１２との間の配線板１３を取り出して、上カバー１１、下カバー１２、配線板１３を容易に分解することができる。そして、合成樹脂で成形された上カバー１１、下カバー１２を再び成形材料として用いることができ、材料のリサイクル化が可能となる。
【００２２】
また、この実施形態では、上カバー１１と下カバー１２とを分解する場合、溶着部分を削ったり、加工する必要がなく、ハンマー等により本体２０に外力Ｆを加えるだけで分解することができるので、分解時間がかからず短時間で容易に上カバー１１と下カバー１２とを容易に分解することができる。
【００２３】
【発明の効果】
以上説明したように請求項１の発明によれば、溶着ハウジング部と溶着突起とを溶着することにより上ケースと下ケースとを強固に固定することができ、溶着ハウジング部に外力を加えることにより、破断可能部が容易に破断し、上カバーと下カバーとを容易に分解することができる。
【００２４】
請求項２の発明によれば、溶着部と溶着板部とを溶着することにより、上カバーと下カバーとが強固に固定され、本体に外力を加えることにより、本体を上カバー又は下カバーから分離させれば、上カバーと下カバーとを容易に分解することができる。
【図面の簡単な説明】
【図１】本発明が用いられた電気接続箱を示し、（ａ）は斜視図、（ｂ）は固定部を示す斜視図である。
【図２】本発明が用いられた電気接続箱の固定部を示し、溶着ハウジング部と溶着部とを溶着した状態を示す断面図である。
【図３】本発明が用いられた電気接続箱の固定部を示し、溶着ハウジング部が溶着部から分離した状態を示す断面図である。
【図４】従来の固定構造を示し、（ａ）を全体を示す斜視図、（ｂ）は断面図である。
【図５】従来の他の固定構造を示す斜視図である。
【符号の説明】
１０  電気接続箱
１１  上カバー
１２  下カバー
１３  配線板
１５  溶着突起
１６  溶着ハウジング部
１７  破断可能部
【図１】
0003784913.tif 000002
【図２】
0003784913.tif 000003
【図３】
0003784913.tif 000004
【図４】
0003784913.tif 000005
【図５】
0003784913.tif 000006